【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
抑制剤と、放射を吸収するように構成された吸熱剤であって、該吸熱剤は、該抑制剤に隣接する、吸熱剤とを含む、消火剤。
【請求項２】
請求項１に記載の消火剤であって、ここで、前記吸熱剤は、前記抑制剤に対する表面改変を含む、消火剤。
【請求項３】
請求項２に記載の消火剤であって、ここで、前記表面改変は、前記抑制剤に対して加えられた表面着色を含む、消火剤。
【請求項４】
請求項３に記載の消火剤であって、ここで、前記表面着色が実質的なフラットブラックを含む、消火剤。
【請求項５】
請求項２に記載の消火剤であって、ここで、前記表面改変は、前記抑制剤の表面上で形成される残基部分を含む、消火剤。
【請求項６】
請求項５に記載の消火剤であって、ここで、前記残基部分は、炭素残基部分を含む、消火剤。
【請求項７】
請求項１に記載の消火剤であって、ここで、前記吸熱剤が、選択した波長を吸収するように構成される、消火剤。
【請求項８】
請求項１に記載の消火剤であって、ここで、前記吸熱剤が、熱に応答して前記抑制剤の活性化を促進するように構成される、消火剤。
【請求項９】
請求項８に記載の消火剤であって、ここで、前記吸熱剤が前記抑制剤に熱を移動するように構成される、消火剤。
【請求項１０】
請求項９に記載の消火剤であって、ここで、前記吸熱剤が、熱に発熱的に応答するように構成される、消火剤。
【請求項１１】
請求項１に記載の消火剤であって、ここで、前記吸熱剤は、コーティング、色素、残基部分、埋め込まれた粒子、および独立した粒子のうち少なくとも１つを含む、消火剤。
【請求項１２】
請求項１に記載の消火剤であって、ここで、前記吸熱剤が、前記抑制剤と混合される、複数の粒子を含む、消火剤。
【請求項１３】
請求項１に記載の消火剤であって、ここで、前記抑制剤が、複数の粒子を含み；前記吸熱剤は、複数の粒子を含み；そして、前記吸熱剤粒子が、前記抑制剤粒子に結合する、消火剤。
【請求項１４】
請求項１３に記載の消火剤であって、ここで、前記吸熱剤が、酸化鉄を含む、消火剤。
【請求項１５】
請求項１に記載の消火剤であって、ここで、前記吸熱剤が、補助火炎抑制剤を含む、消火剤。
【請求項１６】
消火剤であって、熱放射を吸収するように構成される着色の供給源を有する、抑制剤を含む、消火剤。
【請求項１７】
請求項１６に記載の消火剤であって、ここで、前記着色の供給源が、前記抑制剤に対する表面改変を含む、消火剤。
【請求項１８】
請求項１７に記載の消火剤であって、ここで、前記表面改変が、前記抑制剤に加えられた表面着色を含む、消火剤。
【請求項１９】
請求項１８に記載の消火剤であって、ここで、前記表面着色が実質的なフラットブラックを含む、消火剤。
【請求項２０】
請求項１７に記載の消火剤であって、ここで、前記表面改変が、前記抑制剤の表面上に形成された残基部分を含む、消火剤。
【請求項２１】
請求項２０に記載の消火剤であって、ここで、前記残基部分が、炭素残基部分を含む、消火剤。
【請求項２２】
請求項１６に記載の消火剤であって、前記着色の供給源が、選択した波長を吸収するように構成される、消火剤。
【請求項２３】
請求項１６に記載の消火剤であって、ここで、前記着色の供給源が、熱に応答して前記抑制剤の活性化を促進するように構成される、消火剤。
【請求項２４】
請求項２３に記載の消火剤であって、ここで、前記吸熱剤が前記抑制剤に熱を移動するように構成される、消火剤。
【請求項２５】
火炎制御システムであって、該システムは、消火剤ならびにディスペンサーを備え、
該消火剤は、抑制剤と、放射を吸収するように構成される吸熱剤であって、該吸熱剤は、該抑制剤に隣接する、吸熱剤とを含み；
該ディスペンサーは、該消火剤を含むように構成される、
システム。
【請求項２６】
請求項２５に記載の火炎制御システムであって、ここで、前記吸熱剤は、前記抑制剤に対する表面改変を含む、火炎制御システム。
【請求項２７】
請求項２６に記載の火炎制御システムであって、ここで、前記表面改変が、前記抑制剤に加えられた表面着色を含む、火炎制御システム。
【請求項２８】
請求項２７に記載の火炎制御システムであって、ここで、前記表面着色は、実質的なフラットブラックを含む、火炎制御システム。
【請求項２９】
請求項２６に記載の火炎制御システムであって、ここで、前記表面改変が、前記抑制剤の表面上に形成された残基部分を含む、火炎制御システム。
【請求項３０】
請求項２９に記載の火炎制御システムであって、ここで、前記残基が、炭素残基部分を含む、火炎制御システム。
【請求項３１】
請求項２５に記載の火炎制御システムであって、ここで、前記吸熱剤が、選択した波長を吸収するように構成される、火炎制御システム。
【請求項３２】
請求項２５に記載の火炎制御システムであって、ここで、前記吸熱剤が、熱に応答して、前記抑制剤の活性化を促進するように構成される、火炎制御システム。
【請求項３３】
請求項３２に記載の火炎制御システムであって、ここで、前記吸熱剤が前記抑制剤に熱を移動するように構成される、火炎制御システム。
【請求項３４】
請求項３３に記載の火炎制御システムであって、ここで、前記吸熱剤が、熱に対して発熱的に反応するように構成される、火炎制御システム。
【請求項３５】
請求項２５に記載の火炎制御システムであって、ここで、前記吸熱剤は、コーティング、色素、残基部分、埋め込まれた粒子、および独立した粒子のうちの少なくとも１つを含む、火炎制御システム。
【請求項３６】
請求項２５に記載の火炎制御システムであって、ここで、前記吸熱剤が、前記抑制剤と混合される、複数の粒子を含む、火炎制御システム。
【請求項３７】
請求項２５に記載の火炎制御システムであって、ここで、前記抑制剤が、複数の粒子を含み；前記吸熱剤が複数の粒子を含み；そして、該吸熱剤粒子は該抑制剤粒子に結合している、火炎制御システム。
【請求項３８】
請求項３７に記載の火炎制御システムであって、ここで、前記吸熱剤粒子が、酸化鉄を含む、火炎制御システム。
【請求項３９】
請求項２５に記載の火炎制御システムであって、ここで、前記吸熱剤は、補助火炎抑制剤を含む、火炎制御システム。
【請求項４０】
消火方法であって、該方法は、火炎を検出する工程；および該火炎に近接するように消火剤を与える工程を包含し、
ここで、該消火剤が、抑制剤；および放射を吸収するように構成される吸熱剤であって、該吸熱剤は、該抑制剤に隣接する、吸熱剤を含む、
消火方法。
【請求項４１】
請求項４０に記載の消火方法であって、ここで、前記吸熱剤は、該火炎と近接する可燃物質との間に構成される、消火方法。
【請求項４２】
請求項４０に記載の消火方法であって、ここで、前記吸熱剤が、該抑制剤に対する表面改変を含む、消火方法。
【請求項４３】
請求項４２に記載の消火方法であって、ここで、前記表面改変が、前記抑制剤に対して加えられる表面着色を含む、消火方法。
【請求項４４】
請求項４３に記載の消火方法であって、ここで、前記表面着色が、実質的なフラットブラックを含む、消火方法。
【請求項４５】
請求項４２に記載の消火方法であって、ここで、前記表面改変が、前記抑制剤の表面上に形成された残基部分を含む、消火方法。
【請求項４６】
請求項４５に記載の消火方法であって、ここで、前記残基部分が、炭素残基部分を含む、消火方法。
【請求項４７】
請求項４０に記載の消火方法であって、前記吸収剤が、選択した波長を吸収するように構成される、消火方法。
【請求項４８】
請求項４０に記載の消火方法であって、ここで、前記吸熱剤が、熱に応答して、前記抑制剤の活性化を促進するように構成される、消火方法。
【請求項４９】
請求項４８に記載の消火方法であって、ここで、前記吸熱剤が前記抑制剤に熱を移動するように構成される、消火方法。
【請求項５０】
請求項４９に記載の消火方法であって、ここで、前記吸熱剤が、熱に対して発熱的に反応するように構成される、消火方法。
【請求項５１】
請求項４０に記載の消火方法であって、ここで、前記吸熱剤は、コーティング、色素、残基部分、埋め込まれた粒子、および独立した粒子のうちの少なくとも１つを含む、消火方法。
【請求項５２】
請求項４０に記載の消火方法であって、ここで、前記吸熱剤が、前記抑制剤と混合される、複数の粒子を含む、消火方法。
【請求項５３】
請求項４０に記載の消火方法であって、ここで、前記抑制剤が、複数の粒子を含み；前記前記吸熱剤が、複数の粒子を含み；そして、
該吸熱剤粒子が、該抑制剤粒子に結合する、消火方法。
【請求項５４】
請求項５３に記載の消火方法であって、前記吸熱剤が、酸化鉄を含む、消火方法。
【請求項５５】
請求項４０に記載の消火方法であって、ここで、前記吸熱剤が、補助的火炎抑制剤を含む、消火方法。